(57)【特許請求の範囲】
【請求項１】
放射線管理区域内に設置され，室内に常時清浄・浄化された空気を供給するとともに該室内を陽圧に保持する作用を行う換気空調設備および飲料水摂取設備とを設けることを特徴とする放射線管理区域内設置ハウス。
【請求項２】
放射線管理区域内に設置され，かつ室内に常時清浄・浄化された空気を供給するとともに該室内を陽圧に保持する作用を行う換気空調設備，飲料水摂取設備および汚染検査設備とを設けるとともに，ハウスを構成するパネルに遮蔽材を設けることを特徴とする放射線管理区域内設置ハウス。
【請求項３】
室内に汚染検査設備の遠隔監視および指示装置を設けることを特徴とする請求項２記載の放射線管理区域内設置ハウス。
【請求項４】
ハウス本体内に排泄用設備を設け，あるいはハウス本体に隣接して排泄用ハウスを設置することを特徴とする請求項１乃至３記載の放射線管理区域内設置ハウス。
【請求項５】
ハウス本体および該ハウス本体に隣接して設置した排泄用ハウスの下部にそれぞれキャスターを設けることを特徴とする請求項１乃至請求項４記載の放射線管理区域内設置ハウス。
【発明の詳細な説明】
【０００１】
【発明の属する技術分野】
本発明は，原子力施設などの放射線管理区域内において，作業者が飲料水の摂取と排泄を可能にしたハウスに関するものである。
【０００２】
【従来の技術】
従来より原子力施設などの放射線管理区域内（放射線，汚染いずれの区域を含む）においては，放射線物質により汚染された工具類や衣服等を経由して作業者の口から放射線物質が体内に摂取される可能性があった。そのため，前記管理区域内においては，飲水が禁止されており，作業者が飲水するには，一旦該管理区域内から退出しなければならず，しかもその際，放射線管理区域外への放射線物質の拡散防止措置を講じる必要があり，そのため退出・入域のための作業に手数を要し面倒であった。また排泄のための退出・入域の場合も同様である。
【０００３】
【発明が解決しようとする課題】
このような問題を解決するために，放射線管理区域内の主要場所に飲水のための小屋（ハウス）を設置すると上記のような退出・入域のための面倒な作業を必要としないので，作業者にとっては非常に便利である。しかしながら，該ハウス内の飲料水設置場所で飲水するためには，作業者が飲料水設置場所に到達する以前に，作業者の口から放射線物質が体内に摂取されないように汚染の除去その他種々の措置を講じる必要がある。
【０００４】
また同様に排泄のための設備も併設しておくと作業者にとっては非常に便利である。なお排泄の場合は，作業者の体内に放射性物質が摂取される可能性は極めて考えにくいため，手袋を外す程度の措置で十分足りる。
【０００５】
【課題を解決するための手段】
本発明は，放射線管理区域内に設置され，室内に常時清浄・浄化された空気を供給するとともに該室内を陽圧に保持する作用を行う換気空調設備および飲料水摂取設備とを設けること，またこれに加えて汚染検査設備を設けること，さらに該ハウス本体を構成するパネルに遮蔽材を設けること，汚染検査設備の遠隔監視および指示装置を設けること，ハウス本体内に排泄用設備を設け，あるいは該ハウス本体に隣接して排泄用ハウスを設けること，ハウス本体および排泄用ハウスの下部にキャスターを設けること等を特徴とする放射線管理区域内設置ハウスに関するもので，これらの手段により上記の課題の解決を図ったものである。
【０００６】
【発明の実施の形態】
以下，本発明の具体的構成を添付図面により詳細に説明する。図１は本発明の構成を示す一部切欠斜視図，図２は本発明におけるパネルの構成を示す断面図，図３はハウス本体に排泄用ハウスを隣接した場合を示す斜視図である。
【０００７】
図１において，１はパネル８により構成されたハウス本体で，その室内は汚染検査場所２および飲水場所３とに分離されている。４は該飲水場所３に設置された換気空調設備でフィルタおよびブロワーから構成される。５は該換気空調設備の送風口，６は飲料水ストッカーである。またハウス本体１の適宜箇所には室内を監視するモニターカメラ７を設置してある。一方汚染検査場所２には汚染検査装置１３，音声伝達装置１４等が設置されている。１０はハウス本体１に設けた入口ドア，１１は該ドア１０に設けたダンパー，１２は空気逃し穴，１５はハウス本体１の下部に設けたキャスターである。また図２において９は内外のパネル８間に設けた鉛あるいは鉄等の材料からなる放射線の遮蔽材である。また図３において，１６は排泄用ハウスで，ハウス本体１に隣接して設置し，パネル１９により構成されている。１７は該排泄用ハウス１６の入口ドア，１８は臭気排気管である。
【０００８】
本発明はこのような構成からなるので，ハウス本体１を放射線管理区域内に設置し，換気空調設備４を運転してハウス本体１外の空気を清浄・浄化して送風口５からハウス本体１内に供給し，飲水場所３および汚染検査場所２を通過して入口ドア１０に設けたダンパー１１および空気逃し穴１２からハウス本体１外に排出する。このときハウス本体１内の気圧を該ハウス本体１が設置されている管理区域内の気圧より高くなるように設定する。従ってハウス本体１内には常時清浄・浄化した空気が充満し，万一何らかの理由で管理区域内に放射性物質が拡散してもハウス本体１内の空気が汚染されることはない。
【０００９】
そこで，管理区域内で作業する作業者が飲水する場合には，ハウス本体１の入口ドア１０を開き，先ず，汚染検査場所２に入り，該入口ドア１０を閉じた後，汚染検査装置１３により全身に亘って自身の汚染検査を行い，汚染付着の有無を確認する。
【００１０】
このとき必要に応じて，モニターカメラ７および音声伝達装置１４を用いて，管理区域外若しくは管理区域内の遠隔地から作業者に対し，汚染検査の確認・指導を行うことができる。
【００１１】
そこで，作業者の身体表面に放射性物質の付着がないことが確認されれば，該作業者は飲水場所３に行き，飲料水ストッカー６に貯蔵されている飲料水を飲用することができる。
【００１２】
飲用後，該作業者は，汚染検査場所２を経由して管理区域内に戻ることができる。なお，この際は汚染検査を省略することが可能である。
【００１３】
また，作業者が用便を行う場合には，本体ハウス１内に設置されている排泄用設備（図示せず。ただし，この排泄用設備は特別のものである必要はなく，一般に使用されているプレファブ組立オフィス等に設けられているものでよい。）により，あるいは図３に示すように，本体ハウス１に隣接する排泄用ハウス１６の入口ドア１７を開き，室内に入り用を足すことができる。
【００１４】
なお，本発明における本体ハウス１内の排泄用設備あるいは排泄用ハウス１６は，必ずしも汚染検査装置１３を経てから使用する位置にある必要はなく，管理区域内から直接入れるようにしても，作業者の汚染管理上問題はない。従って設置場所の条件により適宜変更することができる。
【００１５】
上記のように管理区域内に設置する排泄用設備あるいは排泄用ハウス１６は，排泄物をその場で焼却できる機能を有しているものが望ましい。このように構成すると，上下水のための配管布設，下水の浄化設備等々の付帯工事，設備を必要としないため，低コストであり，移動も容易である。
【００１６】
また，図２に示すように，ハウス本体１の天井を含む内壁および外壁を構成するパネル８の間に，鉛あるいは鉄等の材料からなる放射線の遮蔽材９を必要に応じて挿入し，あるいは予め挿入しておけば，放射線量の高い場所にハウス本体１を設置しても安全に使用することができる。排泄用ハウス１６の場合も同様である。
【００１７】
また，本発明ハウスの設置場所が，管理区域内における作業に支障を来す等，移動する必要を生じたときには，ハウス本体１および排泄用ハウス１６の下部に設けたキャスター１５により作業に支障を来さない場所に容易に移動させることができる。
【００１８】
【発明の効果】
以上説明したように，本発明はハウス本体に，放射性物質の侵入防止対策を施しているので，放射線管理区域内に設置して，該区域内の作業者の飲水が可能となり，また必要により排泄設備を設置し，用便を可能としたので，放射線管理区域内において長時間に亘る連続作業を行うことができ，その結果，該区域の退出・入場に要する手間を省くことができるので，作業能率の向上を図ることが可能となる。
【００１９】
また，本発明は，水分補給，さらにこれに加えて排泄の面でも，一般環境の作業場と同じ条件となり，原子力施設を中心とする管理区域内作業のパブリックアクセプタンス上からも好適である。
【００２０】
また，本発明は，必要に応じて容易に移動させることが可能である等，その効果は極めて大きい。
【図面の簡単な説明】
【図１】本発明の構成を示す一部切欠斜視図。
【図２】本発明におけるパネルと遮蔽材との構成を示す断面図。
【図３】本発明においてハウス本体に排泄用ハウスを隣接した場合を示す斜視図。
【符号の説明】
１  パネル本体
２  汚水検査場所
３  飲水場所
４  換気空調設備
５  送風口
６  飲料水ストッカー
７  モニターカメラ
８  パネル
９  遮蔽材
１０  入口ドア
１１  ダンパー
１２  空気逃し穴
１３  汚染検査装置
１４  音声伝達装置
１５  キャスター
１６  排泄用ハウス
１７  入口ドア
１８  臭気排気管
１９  パネル
【図１】
0003614536.tif 000002
【図２】
0003614536.tif 000003
【図３】
0003614536.tif 000004